(57)【要約】 【課題】外壁部の内側に浸入した浸入雨水を効果的に排出し得ると共に、確実且つ容易に取り付けることのできる水抜き具を提供する。【解決手段】外壁部７の下端面部７ａと雨水流下面２５との間の間隙３７に配設される水抜き具本体４に圧接固定片２８を設ける。水抜き具本体４は、外壁部７の内側５３に浸入した浸入雨水を外部に排出する排出路１１７を形成する箱状部４３を具え、箱状部４３の内部には、排水路１１７を通して外壁部７の内側５３に雨水が浸入するのを阻止する水切り部５５を有する。圧接固定片２８が外壁部の下端面部７ａに圧接されることにより、その押圧力で水抜き具本体４は雨水流下面２５に固定される。【選択図】図１
2007247234.tif 000002
【特許請求の範囲】
【請求項１】
外壁部の内側に浸入した浸入雨水を外部に排出するために用いられる水抜き具であり、前記外壁部の下端面部とその下方に存する雨水流下面との間の間隙に配設される水抜き具本体に、前記外壁部の下端面部に移動可能に圧接される圧接固定片が設けられており、該水抜き具本体は、前記外壁部の内外方向に延びる上面部の左右両側で側面部が下設された箱状部を具え、該箱状部の下端が前記雨水流下面に当接することによって、該箱状部の内端の開放部と外端の開放部に連通して前記浸入雨水を外部に排出するための排水路が形成される如くなされており、又、前記圧接固定片が前記外壁部の下端面部に圧接されることにより、該圧接に伴う下方への押圧力で、前記水抜き具本体は、前記雨水流下面に当接した状態で該雨水流下面に押圧状態に固定されることを特徴とする外壁部の水抜き具。
【請求項２】
外壁部の内側に浸入した浸入雨水を外部に排出するために用いられる水抜き具であり、前記外壁部の下端面部とその下方に存する雨水流下面との間の間隙に配設される水抜き具本体に、前記外壁部の下端面部に移動可能に圧接される圧接固定片が設けられており、
前記水抜き具本体は、前記外壁部の内外方向に延びる上面部の左右両側で側面部が下設された箱状部を具え、該箱状部の下端が前記雨水流下面に当接することによって、該箱状部の内端の開放部と外端の開放部に連通して前記浸入雨水を外部に排出するための排水路が形成される如くなされており、又、該箱状部の内部には、前記排水路を通して前記外壁部の内側に雨水が浸入するのを防止する水切り部が該箱状部と一体に設けられており、
又、該水切り部は、左右隣り合う水切り片先側部分相互が、内外方向で見て所要間隔を隔てて重なり合うように位置設定された水切り片の複数を具え、左右端に位置する２つの水切り片は、前記左右の側面部の夫々の内面に連設されると共に、全ての水切り片は、前記上面部の下面に連設されてなり、
又、前記圧接固定片が前記外壁部の下端面部に圧接されることにより、該圧接に伴う下方への押圧力で、前記水抜き具本体は、前記雨水流下面に当接した状態で該雨水流下面に押圧状態に固定されることを特徴とする外壁部の水抜き具。
【請求項３】
外壁部の内側に浸入した浸入雨水を外部に排出するために用いられる水抜き具であり、前記外壁部の下端面部とその下方に存する雨水流下面との間の間隙に配設される水抜き具本体に、前記外壁部の下端面部に移動可能に圧接される圧接固定片が設けられており、
前記水抜き具本体は、前記外壁部の内外方向に延びる上面部の左右両側で側面部が下設された箱状部を具え、該箱状部の下端が前記雨水流下面に当接することによって、該箱状部の内端の開放部と外端の開放部に連通して前記浸入雨水を外部に排出するための排水路が形成される如くなされており、又、該箱状部の内部には、前記排水路を通して前記外壁部の内側に雨水が浸入するのを防止する水切り部が該箱状部と一体に設けられており、
又前記水切り部は、前記左右の側面部の夫々の内面に、箱状部内方に向けて突出し且つ外方に向けて屈曲するように連設されると共に、上端が前記上面部の下面に連接されてなる左右の側部水切り片と、該左右の側部水切り片間に位置し、且つ、内方に向かって突で且つ上端が前記上面部の下面に連設されてなる第１の中間水切り片と、該左右の側部水切り片及び該第１の中間水切り片の外方側に所要距離を隔てて位置し、且つ、前記箱状部の外端側から見て、一方の側部水切り片と前記第１の中間水切り片間を塞ぐ状態で、内方に向かって突で且つ上端が前記上面部の下面に連設されてなる第２の中間水切り片と、前記箱状部の外端側から見て、他方の側部水切り片と前記第１の中間水切り片間を塞ぐ状態となるように、内方に向かって突で且つ上端が前記上面部の下面に連設されてなる第２の中間水切り片とを具えており、
又、前記圧接固定片が前記外壁部の下端面部に圧接されることにより、該圧接に伴う下方への押圧力で、前記水抜き具本体は、前記雨水流下面に当接した状態で該雨水流下面に押圧状態に固定されることを特徴とする外壁部の水抜き具。
【請求項４】
外壁部の内側に浸入した浸入雨水を外部に排出するために用いられる水抜き具であり、前記外壁部の下端面部とその下方に存する雨水流下面との間の間隙に配設される水抜き具本体に、前記外壁部の下端面部に移動可能に圧接される圧接固定片が設けられており、
前記水抜き具本体は、前記外壁部の内外方向に延びる上面部の左右両側で側面部が下設された箱状部を具え、該箱状部の下端が前記雨水流下面に当接することによって、該箱状部の内端の開放部と外端の開放部に連通して前記浸入雨水を外部に排出するための排水路が形成される如くなされており、又、該箱状部の内部には、前記排水路を通して前記外壁部の内側に雨水が浸入するのを防止する水切り部が該箱状部と一体に設けられており、
又前記水切り部は、前記左右の側面部の夫々の内面に、箱状部内方に向けて突出し且つ外方に向けて屈曲するように連設されると共に、上端が前記上面部の下面に連設されてなる左右の側部水切り片と、該左右の側部水切り片の外方側に位置し、且つ、前記箱状部の外端側から見て、該左右の側部水切り間を塞ぐ状態で、内方に向かって突で且つ上端が前記上面部の下面に連設されてなる中間水切り片とを具えてなり、
又、前記圧接固定片が前記外壁部の下端面部に圧接されることにより、該圧接に伴う下方への押圧力で、前記水抜き具本体は、前記雨水流下面に当接した状態で該雨水流下面に押圧状態に固定されることを特徴とする外壁部の水抜き具。
【請求項５】
前記箱状部は、下端が開放されていることを特徴とする請求項１〜４の何れかに記載の外壁部の水抜き具。
【請求項６】
前記箱状部は、下端が塞がった有底に形成されていることを特徴とする請求項１〜４の何れかに記載の外壁部の水抜き具。
【請求項７】
前記圧接固定片は、外方に向けて斜め上方に突設され且つ上端部分で前記外壁部の下端面部に圧接される傾斜突片として構成されており、該傾斜突片が該下端面部に圧接されることにより、該傾斜突片が下方に向けて弾性変形し、該弾性変形に伴う下方への押圧力で、前記水抜き具本体が前記雨水流下面に押圧状態に固定されることを特徴とする請求項１〜６の何れかに記載の外壁部の水抜き具。
【請求項８】
前記水抜き具本体の前記左右の側面部の内端乃至内端寄り部位に、側方に向けて突片が突設される共に、該突片に前記傾斜突片が突設されていることを特徴とする請求項７記載の外壁部の水抜き具。
【請求項９】
前記圧接固定片は、前記上面部で外方に向けて突設され且つ上に突の円弧状を呈すると共に、外端が前記上面部の上方に位置する自由端に形成され、且つ、円弧状部の上端部分で前記外壁部の下端面部に圧接される湾曲突出片として構成されており、該湾曲突出片が前記外壁部の下端面部に圧接されることにより、該湾曲突出片が下方に向けて弾性変形し、該弾性変形に伴う下方への押圧力で、前記水抜き具本体が前記雨水流下面に押圧状態に固定されることを特徴とする請求項１〜６の何れかに記載の外壁部の水抜き具。
【請求項１０】
前記圧接固定片は、前記上面部で上向きに突設され且つ上端部分で前記外壁部の下端面部に圧接される上方突出片として構成されており、該上方突出片が前記外壁部の下端面部に圧接されることにより、該圧接に伴う下方への押圧力で、前記水抜き具本体が前記雨水流下面に押圧状態に固定されることを特徴とする請求項１〜６の何れかに記載の外壁部の水抜き具。
【請求項１１】
前記圧接固定片は、前記水抜き具本体の前記左右の側面部の内端乃至内端寄り部位で側方に向けて突設された突片に装着された発泡合成樹脂やゴム質素材からなる側部突出片として構成されており、該側部突出片の上端部分で前記外壁部の下端面部に圧接されることにより、該圧接に伴う下方への押圧力で、前記水抜き具本体が前記雨水流下面に押圧状態に固定されることを特徴とする請求項１〜６の何れかに記載の外壁部の水抜き具。
【請求項１２】
前記水抜き具本体の前記左右の側面部の内端乃至内端寄り部位に、前記間隙の左右方向に延長するバックアップ材の端部分を支持する突片が側方に向けて突設されていることを特徴とする請求項１〜１０の何れかに記載の外壁部の水抜き具。
【発明の詳細な説明】
【技術分野】
【０００１】
本発明は、外壁部の内側に浸入した浸入雨水を外部に排出するために用いられる外壁部の水抜き具に関するものである。
【背景技術】
【０００２】
下地材に外装材を固定して構成された外壁部にあっては、外装材同士の接合部等から外壁部の内側に雨水が浸入することがあり、該浸入した雨水を外部に排出させないとすれば、外壁部の内側で溜まった水が外装材を膨潤させて塗装膜の剥離を生じさせる等の外壁部の劣化を招き易い問題があった。
【０００３】
このような問題点を解決する手段の一つとして、特開平１０−３２５１８５号公報が開示する排水構造が提案されている。該排水構造Ａの代表的な実施例は、図２７に示すような水抜き具ａを用いるものであり、窓等の開口部の上部枠ｂとその上側に取り付けられる外装材ｃとの間の間隙ｓに該水抜き具ａを配設し、外壁部ｄの内側ｅに浸入した雨水を外部に排出するように構成されていた。
【０００４】
該水抜き具ａのより具体的な構成は、図２８〜２９に示すように、内部が空洞に形成された箱状成形体ｆの背面部ｇに流入口ｈが形成されると共にその前面部ｊには排水口ｋが形成されており、該流入口ｈと排水口ｋは、底面部ｍの上面ｎを底面として形成されていた。そして、外壁部ｄの内側ｅに浸入した雨水を前記流入口ｈから箱状成形体ｆ内に流入させ、これを前記排水口ｋから外部に排出させるように構成されていた。
【０００５】
そして、該水抜き具ａを前記上部枠ｂに固定するために、前記箱状成形体ｆの底面部ｍの下面ｕに両面粘着テープを貼り付けておき、その剥離紙を剥がした状態で該水抜き具ａを図２７に示すように前記間隙ｓに配設し、前記両面粘着テープを介して前記箱状成形体ｆを前記上部枠ｂの上面ｗに固定するものであった。
【０００６】
又、暴風雨時において風雨が前記排出口ｋから箱状成形体ｆの内部ｐに吹き込む恐れのあるときは、雨水が外壁部ｄの内側ｅに浸入するのを抑制するために、該箱状成形体ｆの内部ｐに、風雨の吹き込みを防止するスポンジ等の充填材を充填可能となされていた。
【０００７】
しかしながら、該水抜き具ａを所定位置に正しく固定できなかった場合はその貼着を剥がしてやり直すことになるが、その際に、両面粘着テープが前記底面部ｍの下面ｕから部分的に剥がれたり貼着面にしわがよったりする恐れがあり、再度の貼着を確実且つ安定的に行うことができないことにもなった。そこでこのような場合は、前記両面粘着テープを一旦前記底面部ｍから引き剥がした後に、新たな両面粘着テープを該底面部に貼り付けなければならない面倒さがあった。
【０００８】
このようなことから、水抜き具ａの前端が外壁部ｄの外面ｙから突出したり、水抜き具ａの固定状態が、内外方向に対して斜め状態になったりする等の不具合が発生しても、そのままに放置することにもなりかねず、水抜き具ａを正しく位置決めして前記上部枠ｂに固定できない問題があった。
【０００９】
加えて、水抜き具の固定施工に先立って前記底面部ｍに両面粘着テープを貼り付ける作業には手間を要し、又、両面粘着テープを必要とするために、水抜き具のコスト上昇を招く問題があった。更には、水抜き具の固定のために剥離紙を引き剥がさなければならない現場作業を要し、作業能率が悪い問題もあった。
【００１０】
そして、かかる構成の従来の排水構造Ａによるときは、前記流入口ｈが、箱状成形体ｆの底面部ｍの上面ｎを底面として形成されていたため、外壁部ｄの内側ｅに浸入して流下した雨水は、前記底面部ｍの厚さ以上の水深にならなければ箱状成形体の内部ｐに流入できず、雨水が排出されにくい問題があった。
【００１１】
又、該水抜き具ａが、スポンジ等の充填材を充填されてなるときは、かかるスポンジ等の充填材は、排水口ｋからの風雨の吹き込みを防止することはできても、該充填材が水を含むと、外壁部ｄの内側ｅに浸入した雨水が外部に排出されにくくなる問題があった。又、箱状成形体ｆの内部に充填するための充填材を特別に必要とするばかりか、充填のための作業手間も要して排水構造の施工コストの上昇を招く問題があった。加えて、充填材を充填しない状態では、流入口ｈと排水口ｋとによって外壁部ｄの内側ｅが外部と連通状態となるために、該内側ｅの通気を図ることも期待できたのであるが、このように充填材を充填すると、かかる通気作用が不良になった。
【００１２】
【特許文献１】特開平１０−３２５１８５号公報（３−４頁、図１、図２）
【発明の開示】
【発明が解決しようとする課題】
【００１３】
本発明は、前記従来の問題点に鑑みて開発されたものであり、外壁部の内側に浸入した浸入雨水を、外壁部の下端面部とその下方に存する雨水流下面との間の間隙に配設される水抜き具本体を介して排出し得るのはもとより、該水抜き具本体を該間隙に固定するに際し、その固定を容易且つ正確に行うことのできる外壁部の水抜き具の提供を課題とするものである。更に進んで、外壁部の内側に浸入した浸入雨水をより効果的に排出し得る外壁部の水抜き具の提供を課題とするものであり、又、外壁部の内側の通気を図ることも期待できる外壁部の水抜き具の提供を課題とするものである。
【課題を解決するための手段】
【００１４】
前記課題を解決するため、本発明は以下の手段を採用する。
即ち本発明に係る外壁部の水抜き具は、外壁部の内側に浸入した浸入雨水を外部に排出するために用いられる水抜き具であり、前記外壁部の下端面部とその下方に存する雨水流下面との間の間隙に配設される水抜き具本体に、前記外壁部の下端面部に移動可能に圧接される圧接固定片が設けられており、該水抜き具本体は、前記外壁部の内外方向に延びる上面部の左右両側で側面部が下設された箱状部を具え、該箱状部の下端が前記雨水流下面に当接することによって、該箱状部の内端の開放部と外端の開放部に連通して前記浸入雨水を外部に排出するための排水路が形成される如くなされており、又、前記圧接固定片が前記外壁部の下端面部に圧接されることにより、該圧接に伴う下方への押圧力で、前記水抜き具本体は、前記雨水流下面に当接した状態で該雨水流下面に押圧状態に固定されることを特徴とするものである。
【００１５】
本発明に係る外壁部の水抜き具のより具体的な態様は、外壁部の内側に浸入した浸入雨水を外部に排出するために用いられる水抜き具であり、前記外壁部の下端面部とその下方に存する雨水流下面との間の間隙に配設される水抜き具本体に、前記外壁部の下端面部に移動可能に圧接される圧接固定片が設けられている。そして前記水抜き具本体は、前記外壁部の内外方向に延びる上面部の左右両側で側面部が下設された箱状部を具え、該箱状部の下端が前記雨水流下面に当接することによって、該箱状部の内端の開放部と外端の開放部に連通して前記浸入雨水を外部に排出するための排水路が設けられており、又、該箱状部の内部には、前記排水路を通して前記外壁部の内側に雨水が浸入するのを防止する水切り部が該箱状部と一体に設けられている。又、該水切り部は、左右隣り合う水切り片先側部分相互が、内外方向で見て所要間隔を隔てて重なり合うように位置設定された水切り片の複数を具え、左右端に位置する２つの水切り片は、前記左右の側面部の夫々の内面に連設されると共に、全ての水切り片は、前記上面部の下面に連設されてなる。又、前記圧接固定片が前記外壁部の下端面部に圧接されることにより、該圧接に伴う下方への押圧力で、前記水抜き具本体は、前記箱状部の下端及び前記水切り部の下端が前記雨水流下面に当接した状態で該雨水流下面に押圧状態に固定されることを特徴とするものである。
【００１６】
本発明に係る外壁部の水抜き具のより具体的な他の態様は、外壁部の内側に浸入した浸入雨水を外部に排出するために用いられる水抜き具であり、前記外壁部の下端面部とその下方に存する雨水流下面との間の間隙に配設される水抜き具本体に、前記外壁部の下端面部に移動可能に圧接される圧接固定片が設けられている。そして前記水抜き具本体は、前記外壁部の内外方向に延びる上面部の左右両側で側面部が下設された箱状部を具え、該箱状部の下端が前記雨水流下面に当接することによって、該箱状部の内端の開放部と外端の開放部に連通して前記浸入雨水を外部に排出するための排水路が設けられており、又、該箱状部の内部には、前記排水路を通して前記外壁部の内側に雨水が浸入するのを防止する水切り部が該箱状部と一体に設けられている。又前記水切り部は、前記左右の側面部の夫々の内面に、箱状部内方に向けて突出し且つ外方に向けて屈曲するように連設されると共に、上端が前記上面部の下面に連接されてなる左右の側部水切り片と、該左右の側部水切り片間に位置し、且つ、内方に向かって突で且つ上端が前記上面部の下面に連設されてなる第１の中間水切り片と、該左右の側部水切り片及び該第１の中間水切り片の外方側に所要距離を隔てて位置し、且つ、前記箱状部の外端側から見て、一方の側部水切り片と前記第１の中間水切り片間を塞ぐ状態で、内方に向かって突で且つ上端が前記上面部の下面に連設されてなる第２の中間水切り片と、前記箱状部の外端側から見て、他方の側部水切り片と前記第１の中間水切り片間を塞ぐ状態となるように、内方に向かって突で且つ上端が前記上面部の下面に連設されてなる第２の中間水切り片とを具えている。又、前記圧接固定片が前記外壁部の下端面部に圧接されることにより、該圧接に伴う下方への押圧力で、前記水抜き具本体は、前記雨水流下面に当接した状態で該雨水流下面に押圧状態に固定されることを特徴とするものである。
【００１７】
本発明に係る外壁部の水抜き具のより具体的なその他の態様は、外壁部の内側に浸入した浸入雨水を外部に排出するために用いられる水抜き具であり、前記外壁部の下端面部とその下方に存する雨水流下面との間の間隙に配設される水抜き具本体に、前記外壁部の下端面部に移動可能に圧接される圧接固定片が設けられている。そして前記水抜き具本体は、前記外壁部の内外方向に延びる上面部の左右両側で側面部が下設された箱状部を具え、該箱状部の下端が前記雨水流下面に当接することによって、該箱状部の内端の開放部と外端の開放部に連通して前記浸入雨水を外部に排出するための排水路が設けられており、又、該箱状部の内部には、前記排水路を通して前記外壁部の内側に雨水が浸入するのを防止する水切り部が該箱状部と一体に設けられている。又前記水切り部は、前記左右の側面部の夫々の内面に、箱状部内方に向けて突出し且つ外方に向けて屈曲するように連設されると共に、上端が前記上面部の下面に連設されてなる左右の側部水切り片と、該左右の側部水切り片の外方側に位置し、且つ、前記箱状部の外端側から見て、該左右の側部水切り間を塞ぐ状態で、内方に向かって突で且つ上端が前記上面部の下面に連設されてなる中間水切り片とを具えてなる。又、前記圧接固定片が前記外壁部の下端面部に圧接されることにより、該圧接に伴う下方への押圧力で、前記水抜き具本体は、前記雨水流下面に当接した状態で該雨水流下面に押圧状態に固定されることを特徴とするものである。
【００１８】
前記各水抜き具において、前記箱状部は、その下端が開放されたものとして構成されることの他、下端が塞がった有底に形成されることもある。
【００１９】
又前記各水抜き具において、前記圧接固定片は、外方に向けて斜め上方に突設され且つ上端部分で前記外壁部の下端面部に圧接される傾斜突片として構成し、該傾斜突片が該下端面部に圧接されることにより、該傾斜突片が下方に向けて弾性変形し、該弾性変形に伴う下方への押圧力で、前記水抜き具本体が前記雨水流下面に押圧状態に固定されされる如く構成するのがよい。この場合、前記水抜き具本体の前記左右の側面部の内端乃至内端寄り部位に、側方に向けて突片を突設すると共に、該突片に前記傾斜突片を突設するのがよい。
【００２０】
又前記各水抜き具において、前記圧接固定片は、前記上面部の、内端乃至内端寄り部位等で、外方に向けて突設され且つ上に突の円弧状を呈すると共に、外端が前記上面部の上方に位置する自由端に形成され、且つ、円弧状部の上端部分で前記外壁部の下端面部に圧接される湾曲突出片として構成し、該湾曲突出片が前記外壁部の下端面部に圧接されることにより、該湾曲突出片が下方に向けて弾性変形し、該弾性変形に伴う下方への押圧力で、前記水抜き具本体が前記雨水流下面に押圧状態に固定される如く構成するのがよい。該湾曲突出片には、半円弧状を呈するものや四分割円弧状を呈するものが含まれる。この場合、前記圧接固定片は例えば、前記上面部の左右両側で突設されたり、前記上面部の中央部分で突設される。
【００２１】
又前記各水抜き具において、前記圧接固定片は、前記上面部で上向きに突設され且つ上端部分で前記外壁部の下端面部に圧接される上方突出片として構成し、該上方突出片が前記外壁部の下端面部に圧接されることにより、該圧接に伴う下方への押圧力で、前記水抜き具本体が前記雨水流下面に押圧状態に固定される如く構成するのがよい。該上方突出片には、硬質合成樹脂製のものや発泡合成樹脂製のもの、ゴム質素材製のものが含まれる。又、垂直状態に上向き突設されるものの他、傾斜状態に上向きに突設されるものもある。この場合、前記圧接固定片は例えば、前記上面部の左右両側で突設されたり、前記上面部の中央部分で突設される。
【００２２】
又前記各水抜き具において、前記圧接固定片は、前記水抜き具本体の前記左右の側面部の内端乃至内端寄り部位で側方に向けて突設された突片に装着されたゴム質素材からなる側部突出片として構成し、該側部突出片の上端部分で前記外壁部の下端面部に圧接されることにより、該圧接に伴う下方への押圧力で、前記水抜き具本体が前記雨水流下面に押圧状態に固定される如く構成するのがよい。
【００２３】
又、前記各水抜き具において、前記水抜き具本体の前記左右の側面部の内端乃至内端寄り部位に、前記間隙の左右方向に延長するバックアップ材の端部を支持する突片を側方に向けて突設するのがよい。
【発明の効果】
【００２４】
本発明は以下の如き優れた効果を奏する。
【００２５】
(1) 本発明に係る外壁部の水抜き具は、水抜き具本体に、外壁部の下端面部に圧接される圧接固定片が設けられているため、該圧接固定片が外壁部の下端面部に圧接されることにより、該圧接に伴う下方への押圧力で、水抜き具本体が雨水流下面に確実に押圧状態に固定されることになる。そして、該雨水流下面に対する水抜き具本体の押圧状態の固定は、該圧接固定片が前記外壁部の下端面部に移動可能に圧接されており固定状態にはないために、その圧接状態を容易に変えることができる。かかることから、該下端面部に対する圧接固定片の圧接状態を修正しながら、水抜き具本体を雨水流下面の所定場所に正しく位置決めして固定できる。
【００２６】
(2) 本発明に係る外壁部の水抜き具は、使用場所によっては、水抜き具本体の内部に水切り部が設けられるが、前記排水路は内外連通状態にあるため、該排水路を通しての浸入雨水の外部への排出が何ら損なわれることがないのはもとより、該水切り部の水切り作用によって、排水口を通して外壁部の内側に雨水が浸入するのを効果的に防止できる。そして該水切り部は、水切り片が箱状部と一体に設けられて前記水切り部が構成されているため、箱状成形体の内部に充填材を充填して雨水の吹き込みを防止する従来の排水構造における場合とは異なり、充填材が吸水することによって浸入雨水の外部への排出が損なわれるといった問題を生じさせることがない。
又、従来のような特別な充填材を必要とせず、しかも、充填材を箱状成形体の内部に充填する作業手間も要さないことから、水抜き具のコスト低減や排水構造の施工コストの低減を期し得る。
加えて、箱状成形体の内部に充填材を充填するものではないため、外壁部の内側の通気を図ることも期待できる。
【００２７】
(3) 本発明に係る外壁部の水抜き具を構成する箱状部の下端を開放状態とし、該下端が雨水流下面に当接されることによって排水路が形成される如く構成するときは、該排水路の流入口が該雨水流下面を底面として形成される。従って、外壁部の内側に浸入した浸入雨水が流下して前記雨水流下面に到達したとき、該雨水は前記排水路の流入口にそのまま流入可能であり、排水効率に優れた排水構造を構成できることとなる。
【００２８】
(4) 前記箱状部の左右の側面部の内端乃至内端寄り部位に、突片を側方に向けて突設したときは、バックアップ材の端部分を該突片で安定的に支持できるため、該箱状部の周辺部分におけるシーリング材の充填作業を安定状態で容易に行うことができる。
【実施例１】
【００２９】
図１〜２は、本発明に係る外壁部の水抜き具（以下水抜き具という）１をその使用状態で示すものであり、窓開口部３に装着されるサッシュ５の上部枠６の上面６ａをなす雨水流下面２５と、その上側に存する外壁部７の下端面部７ａとの間の間隙３７に配設されるものである。
【００３０】
前記外壁部７は、図１〜２に示すように、下地部９に外装材１０を固定して構成されている。そして該下地部９は、本実施例においては、前記上部枠６の固定立片１１や水平固定片８が前記窓開口部３の縁部１２の外面１３にビス等で釘着されると共に、該固定立片１１の外面１５の全体が、該外面１５の稍上側の部分１６を含めて防水テープ１７で覆われている。又、該防水テープ１７の外面１９を含めた窓開口部３の周囲部分２０の全体を覆うように透湿防水シート２１が張設されている。そして該透湿防水シート２１の外面２２には、前記上部枠６の直上において横胴縁２６が固定されている。
【００３１】
より具体的には、前記上部枠６の上面（本実施例においては水勾配を有している）６ａとしての、雨水を受けてこれを流下させる機能を有する前記雨水流下面２５から稍浮き上げた水平状態で横胴縁２６が配設され、該横胴縁２６が前記縁部１２の外面にビス固定されている。該浮き上げによって、横胴縁２６の下端２７と前記雨水流下面２５との間に、横胴縁２６の延長方向に連続する横間隙２９が形成されている。又、前記横胴縁２６の所要部位、例えば前記上部枠６の左右方向の中央部位や側部の所要部位等に、途切れ部３１としての縦間隙３２が設けられている。該横間隙２９の上下幅は、約１２ｍｍに設定されており、又前記縦間隙３２の左右幅は、前記横胴縁２６が下地材としての機能を損なわず、しかも、外壁部７の内側に浸入した浸入雨水の流下を可能とするように設定されており、例えば、後述する流入口１１５（図４）の左右幅よりも小さい約１０ｍｍに設定されている。
【００３２】
前記水抜き具１は、本実施例においては合成樹脂で一体成形されており、図１〜４に示す如く、前記外装材１０の下端面３６（前記外壁部７の下端面部７ａ）とその下方に存する前記雨水流下面２５との間の間隙３７（図１）に前記横間隙２９に連通する如く配設される水抜き具本体４に、前記外壁部７の下端面部７ａに圧接される圧接固定片２８が設けられている。本実施例においては、該横間隙２９に連通するように前記縦間隙３２が設けられているため、該水抜き具本体４には、結果的に該縦間隙３２も連通されている。図１〜２においては、該縦間隙３２の直下に水抜き具本体４が配設されているが、該縦間隙３２から離れた場所で該水抜き具本体４が配設されることもある。
【００３３】
前記水抜き具本体４は、本実施例においては図３〜４に示すように、前記外壁部７の内外方向に延びて前記浸入雨水を外部に排出するための排水路１１７を前記雨水流下面２５との間で形成し得る箱状部４３を具える。該箱状部４３は、図３〜６に示すように、内外方向に延び且つ内端４５から外端４６に向けて下方に傾斜する上面部４７の左右両側で側面部４９，４９が下設され、下端５０が開放状態にあると共に、内端５１に開放部５１a が設けられ且つ外端５２に開放部５２a が設けられてなる矩形箱状を呈しており、該開放状態の下端５０が図４（Ａ）に示すように前記雨水流下面２５に当接されることによって前記排水路１１７が形成される如くなされている。そして該箱状部４３の内部には、前記排水路１１７を通して前記外壁部７の内側５３に雨水が浸入するのを防止する水切り部５５が、該箱状部４３と一体に設けられている。
【００３４】
そして本実施例においては、前記左右の側面部４９，４９の内端６０，６０に、側方に向けて突出する矩形板状の突片５４，５４が逆向きに突設されている。該突片５４，５４の上下幅は、前記左右の側面部４９，４９の内端６０の上下幅に等しく設定されており、該突片５４の前記内端６０側寄り部分の外面３９の下端部分に、前記圧接固定片２８，２８が、前記側面部４９，４９と分離した状態で突設されている。該圧接固定片２８は図３、図５、図７に示すように、外方に向けて斜め上方に突設され且つ上端部分４１で前記外壁部７の下端面部７ａに圧接される傾斜突片２８ａとして構成されている。該傾斜突片２８ａは、本実施例においては矩形片状に形成されており、その突出する上側部分４８（図７（Ａ））は前記箱状部４３の上面部４７の上方に突出しており、前記上端部分４１には、図３、図７（Ｂ）に示すように、左右方向の小突条としての係止突部５７が内外方向で複数条に並設されて滑り止め部５８が設けられている。
【００３５】
前記水切り部５５は、本実施例においては図５〜６、図８に示すように、前記上面部４７の下面７２の内端側の部分７３と中央部分７５と外端側の部分７６に位置させて、水切り片７７を内外３列で下設状態に連設して構成されており、各列は、水切り片７７の複数から構成されている。又、全ての水切り片７７の下端７９は、図３〜５に示すように、前記箱状部４３の下端５０と面一状態にある。そして、図８に示すように、内外隣り合う列に関し、左右隣り合う水切り片７７，７７の水切り片先側部分８０，８０相互が、図８に示す内外方向Ｆ１で見て所要間隔を隔てて重なり合うように位置設定されている。以下の説明では、各列を、内側から見て順に、内端列８１、中央列８２と、外端列８３と区別することがある。又該水切り片７７は、本実施例においては、外方に向けて四分割円弧状に屈曲された略等肉厚の側部水切り片８５と、内方に向かって突の半円弧状（本実施例においては、左右方向に稍長い半円弧状を呈している）に屈曲された略等肉厚の中間水切り片８６の２種類からなり、側部水切り片８５の外側の面８７、中間水切り片８６の外側の面８４は、内方に向けて凹む円弧状凹面を呈すると共に、側部水切り片８５の内側の面８８、中間水切り片８６の内側の面７８は、内方に向けて突の円弧状突面を呈する。
【００３６】
前記中央列８２は図５〜６、図８に示す構成を有しており、前記左右の側面部４９，４９の夫々の内面９０，９０に、箱状部内方に向けて突出し且つ外方に向けて四分割円弧状に屈曲するように連設されると共に、上端９１（図５）が前記上面部４７の下面７２に連設された前記側部水切り片８５，８５と、該左右の側部水切り片８５，８５間に位置し且つ上端９２（図５）が前記上面部４７の下面７２に連設された前記中間水切り片８６とからなり、該側部水切り片８５と中間水切り片８６との間には連通間隙９３が設けられている。以下の説明で、該中間水切り片８６を第１の中間水切り片８６ａと言うことがある。  
【００３７】
又前記外端列８３は図５〜６、図８に示す構成を有しており、前記中央列８２を構成する側部水切り片８５，８５と前記第１の中間水切り片８６ａとの間の左右の連通間隙９３，９３を、箱状部４３の外端側から見て（図８に示す矢印Ｆ２方向から見て）塞ぐ状態に配設されると共に、上端９５，９５（図５〜６）が前記上面部４７の下面７２に連設された前記中間水切り片８６，８６とからなり、該中間水切り片８６，８６の夫々の両外端９６，９６，９６，９６は前記箱状部４３の前記外端面５２に一致している。以下の説明で、該中間水切り片８６，８６を第２の中間水切り片８６ｂと言うことがある。そして、前記左の側面部４９ａと、これに対向する左の第２の中間水切り片８６ｂ１の端縁部９７との間に連通間隙９３が形成されると共に、前記右の側面部４９ｂと、これに対向する右の第２の中間水切り片８６ｂ２の端縁部９９との間に連通間隙９３が形成され、又、左右の第２の中間水切り片８６ｂ１，８６ｂ２との間にも連通間隙９３が形成されている。
【００３８】
中央列８２と外端列８３の関係についてより具体的に説明すれば、左右隣り合う水切り片先側部分８０，８０相互が、内外方向Ｆ１で見て所要間隔を隔てて重なり合った状態となる。具体的には、前記中央列８２の左の側部水切り片８５ａの水切り片先側部分８０ａと、前記外端列８３の左の第２の中間水切り片８６ｂ１の左の水切り片先側部分８０ｂとが内外方向で見て重なり合った状態となり、前記中央列８２の第１の中間水切り片８６ａの左の水切り片先側部分８０ｃと、前記外端列８３の左の第２の中間水切り片８６ｂ１の右の水切り片先側部分８０ｄとが重なり合った状態となる。又、前記中央列８２の第１の中間水切り片８６ａの右の水切り片先側部分８０ｅと、前記外端列８３の右の第２の中間水切り片８６ｂ２の左の水切り片先側部分８０ｆとが重なり合った状態となり、前記中央列８２の右の側部水切り片８５ｂの水切り片先側部分８０ｇと、前記外端列８３の右の第２の中間水切り片８６ｂ２の右の水切り片先側部分８０ｈとが重なり合った状態となる。  
【００３９】
又前記内端列８１は図５〜６、図８に示す構成を有しており、前記中央列８２を構成する側部水切り片８５，８５と前記第１の中間水切り片８６ａとの間の左右の連通間隙９３，９３を、前記箱状部４３の外端側から見て（図８に示す矢印Ｆ２方向から見て）塞ぐ状態に配設されると共に、上端１００，１００（図６）が前記上面部４７の下面７２に連設された前記中間水切り片８６，８６からなり、該中間水切り片８６，８６の夫々の内端（半円弧状の頂端）１０１，１０１は前記箱状部４３の前記内端面５１から稍退いている。以下の説明で、該中間水切り片８６，８６を第３の中間水切り片８６ｃと言うことがある。そして、前記左の側面部４９ａと、これに対向する左の第３の中間水切り片８６ｃの端縁部１０２との間に連通間隙９３が形成されると共に、前記右の側面部４９と、これに対向する右の第３の中間水切り片８６ｃの端部１０３との間に連通間隙９３が形成され、又、左右の第３の中間水切り片８６ｃ１，８６ｃ２との間にも連通間隙９３が形成されている。
【００４０】
中央列８２と内端列８１の関係についてより具体的に説明すれば、左右隣り合う水切り片先側部分８０，８０相互が、内外方向Ｆ１で見て所要間隔を隔てて重なり合った状態となる。具体的には、前記中央列８２の左の側部水切り片８５ａの水切り片先側部分８０ａと、前記内端列８１の左の第３の中間水切り片８６ｃ１の左の水切り片先側部分８０ｊとが重なり合った状態となり、前記中央列８２の第１の中間水切り片８６ａの左の水切り片先側部分８０ｃと、前記内端列８１の左の第３の中間水切り片８６ｃ１の右の水切り片先側部分８０ｋとが重なり合った状態となる。又、前記中央列８２の第１の中間水切り片８６ａの右の水切り片先側部分８０ｅと、前記内端列８１の右の第３の中間水切り片８６ｃ２の左の水切り片先側部分８０ｍとが重なり合った状態となり、前記中央列８２の右の側部水切り片８５ｂの水切り片先側部分８０ｇと、前記内端列８１の右の第３の中間水切り片８６ｃ２の右の水切り片先側部分８０ｎとが重なり合った状態となる。
【００４１】
前記構成を有する水抜き具１を用いて前記排水構造２を構成するに際しては、図７に示すように、前記水抜き具本体４を、その箱状部４３の内端の開放部５１a （図５、図７）を前記横間隙２９に連通させるように前記間隙３７に挿入する。この挿入に伴い、前記左右の傾斜突片（圧接固定片２８）２８ａが前記外壁部７の下端面部７ａによって下方向に押圧され、図１、図４に示すように下方に向けて弓なりに弾性変形され、該弾性変形に伴う下方向への押圧力（付勢力）によって、前記水抜き具本体４が前記雨水流下面２５に押圧状態に固定される。本実施例においては水抜き具本体４が、その外端５２が前記外装材１０の外面７４（前記外壁部７の外面７ｂ）と面一状態となるように、前記間隙３７に押し込まれる。この状態で、該傾斜突片２８ａ（圧接固定片２８）の上端部分４１（本実施例においては前記滑り止め部５８）が、前記外壁部７の下端面７ａに圧接される。この圧接は、前記雨水流下面２５の水勾配の程度によらず、前記箱状部４３の下端５０が該雨水流下面２５に当接した状態で確実に行われる。これにより、図４に示すように、前記箱状部４３と前記雨水流下面２５との間で、該箱状部４３の内端５１の開放部５１ａと外端５２の開放部５２ａに連通して前記浸入雨水を外部に排出するための排水路１１７が形成され、該内端開放部５１ａが流入口１１５を形成し、該外端の開放部５２ａが排出口１１６を形成する。
【００４２】
水抜き具本体４をこのように間隙３７に配設する際、例えば、前記外端面５２が前記外壁部の外面７ｂから稍突出状態や稍退いた状態となったり、前記水抜き具本体４が内外方向に対して稍斜め状態となったときは、該水抜き具本体４の例えば両側部分に指先を当てがって該水抜き具本体４の向きや位置を正しく修正することができる。その際、前記圧接固定片２８は前記外壁部の下端面部７ａに移動可能に圧接されており固定状態にはないため、その圧接状態を容易に変えることができるのである。そして、このように正しく向きや位置が整えられた状態で、該圧接固定片２８の圧接に伴う下方への押圧力（付勢力）により、該水抜き具本体４が前記雨水流下面２５に正しく押圧状態に固定されることになる。
【００４３】
このようにして水抜き具２を前記間隙３７に固定して後、図２、図９（Ａ）（Ｂ）に示すように、前記横間隙２９を外側から覆うように発泡ポリエチレン等のバックアップ材１１９を配設する。前記箱状部４３の左右部分においては、該箱状部４３の左右側に配設されたバックアップ材１１９，１１９の端部分１２０，１２０を、図９（Ａ）に示すように、前記左右の突片５４，５４の外面１２１，１２１に当接状態で支持させる。又、図９（Ｃ）に示すように、外装材１０（外壁部７）の前記下端３６と前記上面部４７との間に形成された外端拡大のＶ字状溝１３０（図４）の奥部に、前記とは別の稍細径のバックアップ材１３１を押し込んで固定状態とする。なお、このバックアップ材１３１は省略されることもある。その後、図９（Ｂ）に示すように、前記外装材１０の下端３６（外壁部７の下端面部７ａ）と前記雨水流下面２５との間の、前記バックアップ材１１９より外側の部分１３２にシーリング材１３６を充填すると共に、図９（Ｃ）に示すように、前記外装材１０の下端３６と前記上面部４７との間の、前記バックアップ材１３１より外側の部分１３５にシーリング材１３６を充填する。このようにシーリング材１３６を充填する際、図９（Ａ）に示すように、前記左右の突片５４，５４が前記バックアップ材１１９，１１９の前記端部分１２０，１２０を安定的に支持するため、箱状部４３の周辺部分におけるシーリング材充填を安定状態で行うことができる。
【００４４】
然してかかる排水構造２によるときは、外装材１０の連結部分等から外壁部７の内側５３に浸入した浸入雨水の一部は、図２に矢印で示すように、前記横胴縁２６の上面１３７を前記縦間隙３２に向けて移動でき、該縦間隙３２で流下して前記雨水流下面２５に達する。或いは、外装材１０の内面１２７を流下して前記横間隙２９に流入し、前記雨水流下面２５に達する。このように雨水流下面２５に達した雨水は、箱状部４３の下端５０が開放状態にあって該雨水流下面２５に当接状態にあるために、前記流入口１１５に達すると、図４に矢印で示すように、該流入口１１５に円滑に流入でき、前記排水路１１７を流下し、前記排出口１１６から外部に排出される。なお、外壁部７の内側５３で発生した結露水も前記と同様にして排出される。
【００４５】
又前記水抜き具本体４には、前記箱状部４３の内部１０５に前記水切り部５５が設けられているため、前記排出口１１６から外壁部７の内側５３に向けて雨水が吹き込むのを効果的に防止できる。このようなことが可能であるのは、前記のように、水切り片７７が箱状部４３に内外３列で設けられており、且つ、中央列８２と外端列８３に関して、左右隣り合う水切り片先側部分８０，８０相互が、内外方向Ｆ１で見て重なり合った状態となり、又、中央列８２と内端列８１に関して、左右隣り合う水切り片先側部分８０，８０相互が、内外方向Ｆ１で見て重なり合った状態となるからである。
【００４６】
かかる構成を採用する結果、雨水が前記排出口１１６を通して排水路１１７の内側に吹き込む場合、先ず、外端列８３の左右の第２の中間水切り片８６ｂ１，８６ｂ２によって水切りされる。そして、該左右の第２の中間水切り片８６ｂ１，８６ｂ２間の連通間隙９３や、該第２の中間水切り片８６ｂ１，８６ｂ２と前記側面部４９，４９との間の連通間隙９３，９３を通過して排水路１１７の内方に雨水が吹き込んだ場合は、その雨水が、前記中央列８２の側部水切り片８５，８５と前記第１の中間水切り片８６ａによって水切りされる。これによって、多くの雨水が水切りされることになる。更に、該側部水切り片８５，８５と前記第１の中間水切り片８６ａとの間の連通間隙９３，９３を通過して排水路１１７の内方に雨水が移動したときは、前記内端列８１の第３の中間水切り片８６ｃ１，８６ｃ２によって水切りされる。これらによって、前記排水路１１７の排出口１１６を通して風雨が内方に吹き込んだとしても、各水切り片によって効果的に水切りされ、外壁部７の内側５３に雨水が浸入するのを効果的に防止できるのである。
【００４７】
又本実施例においては、前記側部水切り片８５の外側の面８７や第１、第２、第３の中間水切り片８６ａ，８６ｂ，８６ｃの外側の面８４，８４，８４は凹面を呈するため、該凹面に吹き込んだ雨水は、図４（Ｂ）に破線で示すように、該凹面に案内されて外方に戻りやすく、効果的に水切りされる。
【００４８】
更に、前記箱状部４３の内部１０５に、多数の水切り片７７からなる水切り部５５が設けられてはいても、前後方向及び左右方向で隣り合う水切り片間に前記のように連通間隙９３が形成されており、又、前記水切り片７７と前記側面部４９との間にも連通間隙９３が形成されていることから、図４（Ｂ）に示すように、前記排水路１１７の流入口１１５と排出口１１６は通気可能の連通状態にある。従って前記水抜き具本体４は、外壁部７の内側５３と外部とを連通する通気路としても機能し、これにより、外壁部の内側５３を通気できることにもなる。
【実施例２】
【００４９】
図１０は、本発明に係る水抜き具１を構成する圧接固定片２８の他の態様を示すものであり、該圧接固定片２８以外の構成は実施例１で説明したところと同様である。
【００５０】
該圧接固定片２８は、図１０（Ａ）（Ｂ）に示すように、湾曲突出片２８ｂとして構成されている。より具体的には、前記上面部４７の上面の内端部位４７ａの左右両側で、外方に向けて突設され且つ上に突の半円弧状を呈すると共に、外端５６が、前記上面部４７の上方に位置する自由端に形成されており、図１０（Ｃ）に示すように、円弧状部の上端部分５９で前記外壁部７の下端面部７ａに圧接される。そして該上端部分５９は、本実施例においては水平部として形成され、左右方向の小突条としての係止突部５７が内外方向で複数条に並設されて滑り止め部５８が設けられている。
【００５１】
然して、該水抜き具１を用いて排水構造２を構成するに際しては、図１０（Ｃ）に示すように、前記水抜き具本体４を、その箱状部４３の内端の開放部５１ａを前記横間隙２９に連通させるように前記間隙３７に挿入する。この挿入に伴い、前記湾曲突出片２８ｂが、前記上端部分５９が前記外壁部７の下端面部７ａに圧接されることによって縮径状態に弾性変形され、該弾性変形に伴う下方への押圧力（付勢力）によって、前記水抜き具本体４は、その箱状部４３の下端５０が前記雨水流下面２５に当接した状態で、該雨水流下面２５に押圧状態に固定されることになる。
【００５２】
前記湾曲突出片２８ｂの、前記外壁部７の下端面部７ａに対する圧接は、前記圧接固定片２８が前記外壁部の下端面７ａに移動可能に圧接されており固定状態にはないため、水抜き具本体４の前記雨水流下面２５に対する位置関係を所要に修正して、該水抜き具本体４を前記間隙３７の所要部位に正しく固定できることになる。
【００５３】
図１２は、前記湾曲突出片２８ｂとしての圧接固定片２８が、横断面（側面視の形状）が同一で左右方向に延長する如く構成された場合を示すものであり、該圧接固定片２８による、前記雨水流下面２５に対する水抜き具本体４の固定作用は前記と同様である。
【００５４】
図１２は、前記圧接固定片２８が、図１０に示すような横断面半円弧状を呈するものではなく四分割円弧状の湾曲突出片２８ｃとして構成された場合を示すものであり、前記上面部４７の左右方向の全長に亘って連続するように構成されており、本実施例においては、上端部分６１に、左右方向の小突条としての係止突部５７が内外方向で複数条に並設されて滑り止め部５８が設けられている。
【００５５】
然して、該水抜き具１を用いて排水構造２を構成するに際しては、図１２（Ｂ）に示すように、前記水抜き具本体４を、その箱状部４３の内端の開放部５１ａを前記横間隙２９に連通させるように前記間隙３７に挿入する。この挿入に伴い、前記湾曲突出片２８ｃが、前記上端部分６１が前記外壁部７の下端面部７ａに圧接されることによって縮径状態に弾性変形され、該弾性変形に伴う下方への押圧力（付勢力）によって、前記水抜き具本体４は、その箱状部４３の下端５０が前記雨水流下面２５に当接した状態で、該雨水流下面２５に押圧状態に固定されることになる。
【００５６】
前記湾曲突出片２８ｃの、前記外壁部７の下端面部７ａに対する圧接は、前記圧接固定片２８が前記外壁部の下端面部７ａに移動可能に圧接されており固定状態にはないため、水抜き具本体４の前記雨水流下面２５に対する位置関係を所要に修正して、該水抜き具本体４を前記間隙３７の所要部位に正しく固定できることになる。
【００５７】
図１３は、該四分割円弧状の湾曲突出片２８ｃとしての圧接固定片２８が、前記上面部４７の左右両側に突設されてなる水抜き具１を示すものであり、該圧接固定片２８による前記雨水流下面２５に対する水抜き具本体４の固定作用は前記と同様である。
【００５８】
図１４は、本発明に係る水抜き具１のその他の実施例を示すもので、圧接固定片２８以外の構成は実施例１における場合と同様である。
該圧接固定片２８は、図１４（Ａ）（Ｂ）に示すように、前記上面部４７の上面で上向きに突設され且つ上端部分６２で前記外壁部７の下端面部７ａに圧接される垂直板状の上方突出片２８ｄとして構成されており、該上端部分６２には、三角形突部６３としての係止突部５７が前後方向に並設されている。なお該三角形突部６３の高さは、本実施例においておいては２ｍｍ程度に設定されている。かかる構成を有する圧接固定片２８は、本実施例においては前記上面部４７の左右両側に突設されている。
【００５９】
然して該水抜き具１を用いて排水構造２を構成するに際しては、図１４（Ｃ）に示すように、前記水抜き具本体４を、その箱状部４３の内端の開放部５１ａを前記横間隙２９に連通させるように水抜き具本体４を前記間隙３７に挿入する。この挿入に伴い、前記左右の上方突出片２８ｄ，２８ｄが、前記係止突部５７が前記外壁部７の下端面部７ａに稍食い込んだ状態で該下端面部７ａに圧接されることになり、これにより、該上方突出片２８ｄが該下端面部７ａで下方に押圧され、その押圧力で、前記水抜き具本体４は、その箱状部４３の下端５０が前記雨水流下面２５に当接した状態で、該雨水流下面２５に押圧状態に固定されることになる。
【００６０】
前記上方突出片２８ｄの、前記外壁部７の下端面部７ａに対する圧接は、前記圧接固定片２８が該下端面部７ａに移動可能に圧接されており固定状態にはないため、水抜き具本体４の前記雨水流下面２５に対する位置関係を所要に修正して、該水抜き具本体４を前記間隙３７の所要部位に正しく固定できることになる。
【００６１】
図１５は，本発明に係る水抜き具１のその他の実施例を示すものであり、圧接固定片２８以外の構成は実施例１における場合と同様である。該圧接固定片２８は、図１５（Ａ）（Ｂ）に示すように、前記上面部４７の上面６５で上向きに突設された、発泡合成樹脂やゴム質素材からなるブロック状等の上方突出片２８ｅとして構成されており、該上方突出片２８ｅの上端部分６６で前記外壁部７の下端面部７ａに圧接される。
【００６２】
然して、該水抜き具１を用いて排水構造２を構成するに際しては、図１５（Ｃ）に示すように、前記水抜き具本体４の箱状部４３の内端の開放部５１ａを前記横間隙２９に連通させるように前記間隙３７に挿入する。この挿入に伴い、前記上方突出片２８ｅの上端部分６６が、前記外壁部７の下端面部７ａで下方に押圧されて弾性圧縮状態となる。これに伴う下方への押圧力で、前記水抜き具本体４は、その箱状部４３の下端５０が前記雨水流下面２５に当接した状態で該雨水流下面２５に押圧状態に固定されることになる。
【００６３】
前記上方突出片２８ｅの、前記外壁部７の下端面部７ａに対する圧接は、前記圧接固定片２８が該下端面部７ａに移動可能に圧接されており固定状態にはないため、水抜き具本体４の前記雨水流下面２５に対する位置関係を所要に修正して、該水抜き具本体４を前記間隙３７の所要部位に正しく固定できることになる。
【００６４】
本実施例において、前記ブロック状等の上方突出片２８ｅは、前記上面部４７の上面６５の左右両側等の一部分にだけ設けられることもある。
【００６５】
図１６は、本発明に係る水抜き具１のその他の実施例を示すものであり、圧接固定片２８以外の構成は実施例１における場合と同様である。該圧接固定片２８は、図１６（Ａ）（Ｂ）に示すように、前記左右の突片５４，５４にその上側から装着される、発泡合成樹脂やゴム質素材からなる側部突出片２８ｆとして構成されている。該側部突出片２８ｆは、下端１４０ａで開口して上方向に延びる嵌入溝１４０が設けられており、該嵌入溝１４０に前記突片５４が上向きに弾性的に嵌入されることによって、該側部突出片２８ｆが該突片５４，５４に固定状態に取り付けられる。
【００６６】
然して、該水抜き具１を用いて前記排水構造２を構成するに際しては、図１６（Ｃ）に示すように、前記水抜き具本体４を、その箱状部４３の内端の開放部５１ａを前記横間隙２９に連通させるように前記間隙３７に挿入する。この挿入に伴い、前記側部突出片２８ｅが、前記外壁部７の下端面部７ａに圧接されることによって弾性圧縮状態となる。該圧接に伴う下方への押圧力（付勢力）で、前記水抜き具本体４は、その箱状部４３の下端５０が前記雨水流下面２５に当接した状態で該雨水流下面２５に押圧状態に固定されることになる。
【００６７】
前記側部突出片２８ｆの、前記外壁部７の下端面部７ａに対する圧接は、前記圧接固定片２８（側部突出片２８ｆ）が前記外壁部の下端面部７ａに移動可能に圧接されており固定状態にはないため、水抜き具本体４の前記雨水流下面２５に対する位置関係を所要に修正して、該水抜き具本体４を前記間隙３７の所要部位に正しく固定できることになる。
【００６８】
該側部突出片２８ｆの形状は、図１６に示すような円板状には限られず、矩形板状等であってもよい。要は、外壁部７の下端面部７ａに圧接されることによって弾性圧縮状態となり得るものであればよい。
【００６９】
図１７は、本発明に係る水抜き具１のその他の実施例を示すものであり、圧接固定片２８以外の構成は実施例１における場合と同様である。該圧接固定片２８は、図１７（Ａ）（Ｂ）に示すように、前記上面部４７の上面６５の左右両側で斜め上方に突設された傾斜片２８ｇ，２８ｇとして構成されており、その上端部分１４１で前記外壁部７の下端面部７ａに圧接される。
【００７０】
然して、該水抜き具１を用いて前記排水構造２を構成するに際しては、図１７（Ｃ）に示すように、前記水抜き具本体４を、その箱状部４３の内端の開放部５１ａを前記横間隙２９に連通させるように前記隙間３７に挿入する。この挿入に伴い、前記左右の傾斜片としての上方突出片２８ｇ，２８ｇが、前記外壁部７の下端面部７ａに圧接されることによって下方に弾性変形され、該圧接に伴う押圧力（付勢力）によって、前記水抜き具本体４は、その箱状部４３の下端５０が前記雨水流下面２５に当接した状態で、該雨水流下面２５に押圧状態に固定されることになる。
【００７１】
前記傾斜片２８ｇの、前記外壁部７の下端面部７ａに対する圧接は、前記圧接固定片２８が前記外壁部の下端面部７ａに移動可能に圧接されており固定状態にはないため、水抜き具本体４の前記雨水流下面２５に対する位置関係を所要に修正して、該水抜き具本体４を前記間隙３７の所要部位に正しく固定できることになる。
【００７２】
図１８は、本発明に係る水抜き具１のその他の実施例を示すものであり、圧接固定片２８以外の構成は実施例１における場合と同様である。該圧接固定片２８は、図１８（Ａ）（Ｂ）に示すように、前記上面部４７の上面６５の中央部分で左右に突設された上に突の湾曲片１４２，１４２からなり且つ両湾曲片の先端１４３，１４３が前記上面部４７の上方に位置する自由端とされた二重湾曲片としての上方突出片２８ｈを以て構成されている。そして該二重湾曲片２８ｈの左右の湾曲片の上端部分１４５，１４５で、前記外壁部７の下端面部７ａに圧接される。
【００７３】
然して、該水抜き具１を用いて前記排水構造２を構成するに際しては、図１８（Ｃ）に示すように、前記水抜き具本体４を、その箱状部４３の内端の開放部５１ａを前記横間隙２９に連通させるように前記隙間３７に挿入する。この挿入に伴い、前記左右の湾曲片２８ｈ，２８ｈが前記外壁部７の下端面部７ａに圧接されることによって下方に弾性変形され、該圧接に伴う押圧力（付勢力）によって、前記水抜き具本体４は、その箱状部４３の下端５０が前記雨水流下面２５に当接した状態で、該雨水流下面２５に押圧状態に固定されることになる。
【００７４】
前記圧接固定片２８（湾曲片１４２，１４２を具える）の、前記外壁部７の下端面部７ａに対する圧接は、該圧接固定片２８が該下端面部７ａに移動可能に圧接されており固定状態にはないため、水抜き具本体４の前記雨水流下面２５に対する位置関係を所要に修正して、該水抜き具本体４を前記間隙３７の所要部位に正しく固定できることになる。
【００７５】
図１９〜２１は、本発明に係る水抜き具１のその他の実施例を示すものである。図１９〜２０は図３の変形態様を示すものであり、図１９においては、圧接固定片２８が、前記と同様構成の突片５４，５４の外面３９，３９の下端部分で垂直状態に突設され且つ、上端側１４６，１４６が外方に向けて斜め上方に屈曲されている。又図２０においては、圧接固定片２８が、前記と同様構成の突片５４，５４の外面３９，３９の上端部分で、垂直に近い傾斜角度で外方に向けて斜め上方に突設されている。又、図２１は図１２の変形態様を示すものであり、圧接固定片２８が、前記上面部４７の内端４５でその全長に亘って連続するように、外方に向けて斜め上方に突設されている。そしてこれらの圧接固定片２８，２８，２８は、その上端部分１４７，１４９，１５０が前記外壁部７の下端面部７ａに圧接されることによって下方に弾性変形され、該圧接に伴う押圧力（付勢力）によって、水抜き具本体４は前記と同様にして、その箱状部４３の下端５０が前記雨水流下面２５に当接した状態で、該雨水流下面２５に押圧状態に固定されることになる。
【実施例３】
【００７６】
本発明は、前記実施例で示したものに限定されるものでは決してなく、「特許請求の範囲」の記載内で種々の設計変更が可能であることはいうまでもない。その一例を挙げれば次のようである。
【００７７】
(1) 前記圧接固定片２８は、前記のような小突条や三角形突部等としての係止突部が設けられないこともある。
又該圧接固定片２８は、前記外壁部７の下端面部７ａに移動可能に圧接されることにより、該圧接に伴う下方への押圧力で、前記水抜き具本体４を、前記箱状部４３の下端５０が前記雨水流下面２５に当接した状態で該雨水流下面２５に押圧状態に固定させる機能を発揮するものであれば、前記実施例で示したものの他、各種に構成され得る。例えば、該圧接固定片２８を、図１０〜１３に示すような湾曲突出片２８ｂ，２８ｃとして構成する場合、前記上面部４７の上面の内端から外方に位置ずれした部位で突設されることもある。又、図１７に示す傾斜片２８ｇとして構成する場合、該傾斜片２８ｇに代えて、上に突の湾曲片として構成されることがある。又、図１８に示す湾曲片１４２を具える上方突出片２８ｈとして構成する場合、該湾曲片１４２に代えて、斜め上方に直線状に突出する傾斜突出片として構成されることもある。
そして、該下端面部７ａは、図示したような平坦な面として形成されることの他、凹凸や段差が存する面であることもあり、前記圧接固定片２８は、かかる下端面部７ａに移動可能に圧接されるものである。そして、該移動可能の圧接とは、固定状態にはない圧接を意味し、前記水抜き具本体４の前記雨水流下面２５に対する位置関係を所要に修正して水抜き具本体を前記間隙３７の所要部位に正しく固定できるようにする圧接状態をいう。
【００７８】
(2) 図２２、図２３は、本発明に係る水抜き具１を構成する箱状部４３が下端開放で且つ水切り部５５を具える場合の、該水切り部５５の他の態様を示す底面図であり、図２２に示す水切り部５５は、前記中央列８２と前記外端列８３とで構成されており、又図２３に示す水切り部５５は、前記中央列８２と前記内端列８１とで構成されている。
図２４〜２６は、本発明に係る水抜き具１を構成する前記水切り部５５のその他の態様を示す底面図であり、箱状部４３の内部１０５に、水切り片７７が各種の組合せで配設されている。
その他、前記水切り部５５は、左右隣り合う水切り片先側部分相互８０，８０が、内外方向で見て所要間隔を隔てて重なり合うように位置設定された水切り片７７の複数を具え、左右端に位置する２つの水切り片は、前記左右の側面部４９，４９の夫々の内面に連設されると共に、全ての水切り片は、前記上面部４７の下面に連設された構成を有する限り、各種に構成され得る。
【００７９】
(3) 本発明に係る水抜き具１を構成する箱状部４３は、下端が塞がった有底に形成されることがあり、この場合は、該箱状部４３は、その内端５１と外端５２に開放部５１ａ，５２ａが設けられた筒状を呈する。
【００８０】
(4) 本発明において前記雨水流下面２５は、前記窓開口部３を構成する上部枠６の上面として構成されることの他、庇や下屋等における屋根面や、建物の基礎の上面等、雨水を受けてこれを流下させる機能を有する面の全てを含むものである。
【００８１】
(5) 前記窓開口部３の上部枠６の上側の外壁部７に設けられている水抜き具１は、該上部枠６の長さ方向の中央部の１箇所とされることの他、該窓開口部３の左右長さに応じて適宜箇所に１箇所乃至複数箇所設けられるものである。
【００８２】
(6) 本発明に係る水抜き具１は、前記突片５４，５４を具えないこともある。又、水抜き具本体４を構成する箱状部４３の内部に水切り部が設けられないこともある。
【図面の簡単な説明】
【００８３】
【図１】排水構造を示す断面図である。
【図２】排水構造を示す一部を欠切した斜視図である。
【図３】水抜き具を示す斜視図である。
【図４】その使用状態を示す断面図と、浸入雨水の排出状態を示す説明図である。
【図５】水抜き具を下から見た斜視図である。
【図６】水抜き具を下から見た斜視図である。
【図７】水抜き具を間隙に挿入する作業工程を説明する断面図である。
【図８】水抜き具の底面図である。
【図９】水抜き具周辺におけるバックアップ材の取り付け状態を示す正面図と、断面図である。
【図１０】水抜き具の他の実施例を使用状態と共に示す斜視図、側面図、断面図である。
【図１１】水抜き具のその他の実施例を示す斜視図、側面図である。
【図１２】水抜き具のその他の実施例を使用状態と共に示す斜視図、側面図、断面図である。
【図１３】水抜き具のその他の実施例を示す斜視図、側面図である。
【図１４】水抜き具のその他の実施例を使用状態と共に示す斜視図、側面図、断面図である。
【図１５】水抜き具のその他の実施例を使用状態と共に示す斜視図、側面図、断面図である。
【図１６】水抜き具のその他の実施例を使用状態と共に示す斜視図、断面図である。
【図１７】水抜き具のその他の実施例を使用状態と共に示す斜視図、正面図である。
【図１８】水抜き具のその他の実施例を使用状態と共に示す斜視図、正面図である。
【図１９】水抜き具のその他の実施例を示す斜視図、側面図である。
【図２０】水抜き具のその他の実施例を示す斜視図、側面図である。
【図２１】水抜き具のその他の実施例を示す斜視図、側面図である。
【図２２】水切り部の他の態様を示す底面図である。
【図２３】水切り部のその他の態様を示す底面図である。
【図２４】水切り部のその他の態様を示す底面図である。
【図２５】水切り部のその他の態様を示す底面図である。
【図２６】水切り部のその他の態様を示す底面図である。
【図２７】従来の外壁部における排水構造を示す断面図である。
【図２８】その排水構造で使用する水抜き具を示す斜視図である。
【図２９】その水抜き具の使用状態を示す断面図である。
【符号の説明】
【００８４】
１  水抜き具
４  水抜き具本体
６  上部枠
７  外壁部
７ａ  外壁部の下端面部
１０  外装材
２５  雨水流下面
２８  圧接固定片
２９  横間隙
３７  間隙
４３  箱状部
４７  上面部
４９  側面部
５０  下端
５１  内端
５２  外端
５４  突片
５５  水切り部
７７  水切り片
８０  水切り片先側部分
８１  内端列
８２  中央列
８３  外端列
８５  側部水切り片
８６  中間水切り片
１１７  排水路
１３３  シーリング材
【図１】
2007247234.tif 000003
【図２】
2007247234.tif 000004
【図３】
2007247234.tif 000005
【図４】
2007247234.tif 000006
【図５】
2007247234.tif 000007
【図６】
2007247234.tif 000008
【図７】
2007247234.tif 000009
【図８】
2007247234.tif 000010
【図９】
2007247234.tif 000011
【図１０】
2007247234.tif 000012
【図１１】
2007247234.tif 000013
【図１２】
2007247234.tif 000014
【図１３】
2007247234.tif 000015
【図１４】
2007247234.tif 000016
【図１５】
2007247234.tif 000017
【図１６】
2007247234.tif 000018
【図１７】
2007247234.tif 000019
【図１８】
2007247234.tif 000020
【図１９】
2007247234.tif 000021
【図２０】
2007247234.tif 000022
【図２１】
2007247234.tif 000023
【図２２】
2007247234.tif 000024
【図２３】
2007247234.tif 000025
【図２４】
2007247234.tif 000026
【図２５】
2007247234.tif 000027
【図２６】
2007247234.tif 000028
【図２７】
2007247234.tif 000029
【図２８】
2007247234.tif 000030
【図２９】
2007247234.tif 000031